【事件の表示】
　商願２０１６−　６１０５１拒絶査定不服審判事件について、次のとおり審決する。
【結　論】
　原査定を取り消す。
　本願商標は、登録すべきものとする。
【理　由】
１　本願商標
　本願商標は、別掲１のとおりの構成からなり、第２９類「冷凍野菜，冷凍果実，肉製品，コロッケ，肉のから揚げ，魚のから揚げ，メンチカツ，とんかつ，ハンバーグ，調理済み焼鳥，アメリカンドッグ，加工水産物，魚のフライ，海老フライ，たれ付きうなぎの蒲焼き，加工野菜及び加工果実，野菜のから揚げ，油揚げ，凍り豆腐，こんにゃく，豆乳，豆腐，納豆，加工卵，カレー・シチュー又はスープのもと，かに玉のもと，麻婆春雨のもと，麻婆豆腐のもと，麻婆茄子のもと，豚キムチのもと，焼ビーフンのもと，玉子焼のもと，八宝菜のもと，回鍋肉のもと，牛丼のもと，豚丼のもと，親子丼のもと，カツ丼のもと，そぼろ丼のもと，カレー丼のもと，中華丼のもと，玉子丼のもと，天津丼のもと，ビビンバのもと，雑炊のもと，クッパのもと，中華丼の具，きんぴらごぼう，野菜の煮物，エビチリソース煮，肉を主材料とする惣菜，魚を主材料とする惣菜，野菜を主材料とする惣菜，玉子を主材料とする惣菜，豆腐を主材料とする惣菜，海草を主材料とする惣菜」及び第３０類「菓子及びパン，サンドイッチ，ホットドッグ，ミートパイ，中華まんじゅう，ハンバーガー，ピザ，調味料，香辛料，アイスクリームのもと，シャーベットのもと，穀物の加工品，乾燥ラザニア，ぎょうざ，しゅうまい，小籠包，すし，たこ焼き，弁当，ラビオリ，グラタン，ドリア，調理済みのラザニア，ピラフ，チャーハン，チキンライス，炊き込みご飯，レトルトパウチされたお粥，レトルトパウチされた米飯，焼きおにぎり，焼鳥と焼葱を混ぜたご飯，すきやき風の味付けをした肉と野菜を混ぜたご飯，即席菓子のもと」を指定商品として、平成２８年６月６日に登録出願されたものである。
２　引用商標
　原査定において、本願商標が商標法第４条第１項第１１号に該当するとして、本願の拒絶の理由に引用した登録商標は、以下のとおりであり、いずれも現に有効に存続しているものである。
（１）登録第６８７５８号商標（以下「引用商標１」という。）
商標の構成：別掲２のとおり
登録出願日：大正３年１０月３日
設定登録日：大正３年１０月２７日
書換登録日：平成１６年１０月１３日
最新更新登録日：平成２６年９月１６日
指定商品：第３０類に属する商標登録原簿記載のとおりの商品
（２）登録第１２５０５５号商標（以下「引用商標２」という。）
商標の構成：別掲３のとおり
登録出願日：大正９年９月１６日
設定登録日：大正１０年１月３１日
書換登録日：平成１３年２月２１日
最新更新登録日：平成２２年１０月１２日
指定商品：第２９類に属する商標登録原簿記載のとおりの商品
（３）登録第１２６４９６号商標（以下「引用商標３」という。）
商標の構成：別掲４のとおり
登録出願日：大正１０年２月２日
設定登録日：大正１０年３月１２日
書換登録日：平成１４年２月２０日
最新更新登録日：平成２３年４月１９日
指定商品：第２９類、第３０類及び第３１類に属する商標登録原簿記載のとおりの商品
（４）登録第１３５００１号商標（以下「引用商標４」という。）
商標の構成：別掲５のとおり
登録出願日：大正１０年８月６日
設定登録日：大正１０年９月１９日
書換登録日：平成１４年１１月１３日
最新更新登録日：平成２３年９月２０日
指定商品：第３０類に属する商標登録原簿記載のとおりの商品
（５）登録第２９３０３１号商標（以下「引用商標５」という。）
商標の構成：別掲６のとおり
登録出願日：昭和９年１０月２０日
設定登録日：昭和１２年９月１日
書換登録日：平成２０年５月２８日
最新更新登録日：平成２９年６月２７日
指定商品：第２９類及び第３１類に属する商標登録原簿記載のとおりの商品
（６）登録第４６９６８０号商標（以下「引用商標６」という。）
商標の構成：別掲７のとおり
登録出願日：昭和２７年１１月１８日
設定登録日：昭和３０年８月２５日
書換登録日：平成１７年９月７日
最新更新登録日：平成２７年８月１８日
指定商品：第３０類に属する商標登録原簿記載のとおりの商品
（７）登録第２６２１０５９号商標（以下「引用商標７」という。）
商標の構成：別掲８のとおり
登録出願日：昭和５４年５月２３日
設定登録日：平成６年２月２８日
書換登録日：平成１７年７月１３日
最新更新登録日：平成２６年１月１４日
指定商品：第１類、第５類、第２９類、第３０類、第３１類及び第３２類に属する商標登録原簿記載のとおりの商品
（８）登録第４７２４８４６号商標（以下「引用商標８」という。）
商標の構成：別掲９のとおり
登録出願日：平成１４年７月３日
設定登録日：平成１５年１１月７日
更新登録日：平成２５年１０月１５日
指定商品：第３０類に属する商標登録原簿記載のとおりの商品
（９）登録第４７９０７６７号商標（以下「引用商標９」という。）
商標の構成：別掲１０のとおり
登録出願日：平成１５年５月２８日
設定登録日：平成１６年７月３０日
更新登録日：平成２６年７月１日
指定商品：第３０類及び第３１類に属する商標登録原簿記載のとおりの商品
（１０）登録第４８１４４１８号商標（以下「引用商標１０」という。）
商標の構成：別掲１１のとおり
登録出願日：平成１５年５月２８日
設定登録日：平成１６年１０月２９日
更新登録日：平成２６年９月１６日
指定商品：第３０類及び第３１類に属する商標登録原簿記載のとおりの商品
（１１）登録第４８１４４１９号商標（以下「引用商標１１」という。）
商標の構成：別掲１１のとおり
登録出願日：平成１５年５月２８日
設定登録日：平成１６年１０月２９日
更新登録日：平成２６年９月１６日
指定商品：第３０類及び第３１類に属する商標登録原簿記載のとおりの商品
（１２）登録第４８１４４２０号商標（以下「引用商標１２」という。）
商標の構成：別掲１１のとおり
登録出願日：平成１５年５月２８日
設定登録日：平成１６年１０月２９日
更新登録日：平成２６年９月１６日
指定商品：第３２類に属する商標登録原簿記載のとおりの商品
（１３）登録第５４９８１１０号商標（以下「引用商標１３」という。）
商標の構成：別掲１２のとおり
登録出願日：平成２３年１２月９日
設定登録日：平成２４年６月１日
指定商品：第３２類及び第３３類に属する商標登録原簿記載のとおりの商品
　以下、これらをまとめていうときは「引用商標」という。
３　当審の判断
　本願商標は、別掲１のとおり、「ザ」の片仮名と黒塗りの星形の図形を上下に表してなるところ、その構成は、商標において単独では用いられない「ザ」の一文字と黒い星形の図形であって、上下にまとまりよく一体的に表されているものと看取され、かつ、かかる構成からは、上部の「ザ」の文字を捨象して下部の星形の図形のみに着目するというよりは、その構成全体をもって印象付けられる一体不可分の商標とみるのが自然である。
　そして、本願商標は、その構成全体をもって特定の意味合いを表すものとして親しまれているというべき特段の事情は認められないことから、特定の称呼及び観念を生じないものである。
　したがって、本願商標から、その構成中の星形の図形を抽出して、該図形に相応して「ゴリョウセイ」の称呼及び観念が生じるとし、その上で、本願商標と引用商標とが類似するものとして、本願商標を商標法第４条第１項第１１号に該当するとした原査定は、取消しを免れない。
　その他、本願について拒絶の理由を発見しない。　
　よって、結論のとおり審決する。